(57)【要約】      （修正有）【課題】手（足）爪の固化効率を高められる光固化装置を提供する。【解決手段】光固化装置は底台１０、ベースフレーム２０、複数の紫外線発光ダイオードモジュール３０、上蓋４０及びコントロールモジュール５０を有する。底台１０には少なくとも１個の指部定位構造１１、１２を設置し、ベースフレーム２０は底台１０上に固定され、ベースフレーム２０は相互に挟角を備える複数の壁面２１、その片側に位置する開口２２及びチャンバー２３を有する。少なくとも１個の紫外線発光ダイオードモジュール３０はベースフレーム２０上に設置され、しかも起動時には指部定位構造１１、１２に照射する。上蓋４０は上蓋開口４１を有し、しかも底台１０上に固定される。コントロールモジュール５０は上蓋４０に設置され、しかも起動ボタン５１、時間設定ボタン５２及びディスプレイ５３を有する。時間設定ボタン５２は紫外線発光ダイオードモジュール３０の起動時間を設定し、ディスプレイ５３は時間設定ボタン５２の設定時間を表示する。【選択図】図１
0003206112.tif 000002
【実用新案登録請求の範囲】
【請求項１】
光固化装置であって、底台、ベースフレーム、少なくとも１個の紫外線発光ダイオードモジュール、上蓋、コントロールモジュールを有し、
前記底台上には、少なくとも１個の指部定位構造を設置し、
前記ベースフレームは、前記底台上に設置され、前記ベースフレームは、相互に挟角を備える複数の壁面及びその片側に位置する開口を有し、前記各壁面は、光反射特性を備え、前記開口と前記各壁面との間には、チャンバーを形成し、しかも前記指部定位構造は、前記チャンバー中に位置し、
前記少なくとも１個の紫外線発光ダイオードモジュールは、前記ベースフレーム上に設置され、しかも起動時には、紫外線発光ダイオードランプを、前記指部定位構造に照射し、
前記上蓋は、取り外し可能なように、前記底台上に設置され、しかも前記ベースフレームを覆って蓋をし、前記上蓋の片側には、前記チャンバーに通じる上蓋開口を設置し、
前記コントロールモジュールは、前記上蓋に設置され、前記コントロールモジュールは、起動ボタン、時間設定ボタン及びディスプレイを有し、前記時間設定ボタンは、紫外線発光ダイオードモジュールの起動時間を設定し、前記ディスプレイは、前記時間設定ボタンが設定した時間を表示し、しかも前記起動ボタンは、前記紫外線発光ダイオードモジュールのオンとオフをコントロールすることを特徴とする光固化装置。
【請求項２】
前記底台は、第一指部定位構造及び第二指部定位構造を有し、
前記第一指部定位構造は、弧状を呈し、
前記第二指部定位構造は、楕円形を呈することを特徴とする請求項１に記載の光固化装置。
【請求項３】
前記紫外線発光ダイオードモジュールは、散熱器を有することを特徴とする請求項１に記載の光固化装置。
【請求項４】
前記ベースフレーム上には、複数の紫外線発光ダイオードモジュールを設置することを特徴とする請求項１に記載の光固化装置。
【請求項５】
前記上蓋は、半球形を呈することを特徴とする請求項１に記載の光固化装置。
【請求項６】
前記コントロールモジュールは、前記上蓋の頂部に設置され、しかも前記コントロールモジュールは、前記コントロールモジュールを取り囲んで設置するＬＥＤ光リングを有することを特徴とする請求項５に記載の光固化装置。
【請求項７】
前記光固化装置は、電源コンセントをさらに有し、
前記電源コンセントは、前記上蓋の片側辺に設置され、外部電源との連接に用い、しかも前記光固化装置に電力を提供することを特徴とする請求項１に記載の光固化装置。
【考案の詳細な説明】
【技術分野】
【０００１】
本考案は光固化装置に関し、特に紫外線発光ダイオードを利用し、人体の手指の爪或いは足指の爪に対して固化を行い、しかも人体手指の爪或いは足指の爪上に塗布されたＵＶ液状接着剤の固化効率を高められる光固化装置に関する。
【背景技術】
【０００２】
ネイルアートの領域では、手指の爪或いは足指の爪上に塗布したＵＶ液状接着剤にＵＶ光源を照射する技術は公知である。
従来の手手（足）爪専用のＵＶ固化装置の外観はおおよそ逆Ｕ型を呈する。手指を欠口位置に置き手爪に照射し、固化装置を手で持ち１８０度回転させ、光源を足指に向け、足指の爪に照射することもできる。
この種の固化装置の欠点は、足指の爪に照射する際には、手で固化装置を持ち、足指の爪へ向けた照射姿勢を保持しなければならないことである。これでは、ある程度の時間後には、身体が痛みを感じたり、疲労を覚えたりしてしまう。
【０００３】
別種の従来の手（足）爪専用の固化装置は、ハウジング内に、紫外線発光ダイオードの光源を覆い、ハウジング一端には、手指を挿入できる開口を設置する。これにより、使用者は、手指を該開口に挿入し、手（足）爪への照射を行うことができる。
しかし、使用者は、肉眼では紫外線発光ダイオード光源照射の位置を見ることはできないため、手指或いは足を機器中に入れても、その手（足）爪に光源をフォーカスさせることができず、光源の手（足）爪に対する照射固化効率を最適化することができない。
さらに、従来の固化装置を用いて手（足）爪に照射する時には、使用者は別の装置を用いて時間を計らなければ、照射時間を正確に把握することができず、使用において不便である。
【考案の概要】
【考案が解決しようとする課題】
【０００４】
本考案の目的は、手指の爪或いは足指の爪に使用者が紫外線光源をフォーカスできる定位部を設置し、これにより爪の固化効率を高め、また使用者はコントロールモジュールを通して照射時間を予め設定することで、使用上の利便性を高められる光固化装置に関する。
【課題を解決するための手段】
【０００５】
上述の目的を達成するため、本考案による光固化装置は、底台、ベースフレーム、少なくとも１個の紫外線発光ダイオードモジュール、上蓋及びコントロールモジュールを有する。
該底台上には、少なくとも１個の指部定位構造を設置する。
該ベースフレームは、該底台上に固定され、しかも該ベースフレームは、相互に挟角を備える複数の壁面、及びその片側に位置する開口を有する。
該各壁面は、光反射特性を備え、該開口と該各壁面との間には、チャンバーを形成し、該指部定位構造は該チャンバー中に位置する。
該紫外線発光ダイオードモジュールは、該ベースフレーム上に設置され、しかも起動時には、該紫外線発光ダイオードランプにより、該指部定位構造に照射する。
該上蓋は、取り外し可能なように、該底台上に固定され、しかも該ベースフレームを覆って蓋をし、しかも該上蓋の片側には、該チャンバーに通じる上蓋開口を有する。
該コントロールモジュールは、該上蓋に設置され、しかも該コントロールモジュールは、起動ボタン、時間設定ボタン及びディスプレイを設置する。
該時間設定ボタンは、該紫外線発光ダイオードモジュールの起動時間を設定し、該ディスプレイは、該時間設定ボタンが設定した時間を表示し、しかも該起動ボタンは、該紫外線発光ダイオードモジュールのオンとオフをコントロールする。
【０００６】
本考案の一実施形態において、該底台は、第一指部定位構造及び第二指部定位構造を有する。
該第一指部定位構造は、弧状の突出部で、使用者はその手部或いは足部の親指以外の４本の指を置くことができる。
該第二指部定位構造は、楕円形の凹部で、使用者はその手部或いは足部の親指を置くことができる。
【０００７】
本考案の一実施形態において、該紫外線発光ダイオードモジュールは、散熱器を有し、しかも該ベースフレーム上には、複数の紫外線発光ダイオードモジュールを設置する。
【０００８】
本考案の一実施形態において、該上蓋は、半球形を呈し、該コントロールモジュールは、該上蓋の頂部に設置され、しかもＬＥＤ光リングは、該コントロールモジュールを取り囲んで設置される。
【０００９】
本考案の一実施形態において、光固化装置は、電源コンセントをさらに有する。
該電源コンセントは、該上蓋の片側辺に設置され、外部電源と連接され、しかも光固化装置に電力を提供する。
【考案の効果】
【００１０】
本考案の光固化装置により、手指の爪或いは足指の爪に使用者が紫外線光源をフォーカスできる定位部を設置し、これにより爪の固化効率を高め、また使用者はコントロールモジュールを通して照射時間を予め設定することで、使用上の利便性を高められることができる。
【図面の簡単な説明】
【００１１】
【図１】本考案の実施形態の光固化装置の立体分解図である。
【図２】本考案の実施形態の光固化装置のベースフレームを下方から見た立体図である。
【図３】本考案の実施形態の光固化装置の組み立て完成後の立体図である。
【図４】本考案の実施形態の光固化装置の組み立て完成後の立体図である。
【考案を実施するための形態】
【００１２】
以下に本考案の技術内容、構造特徴、達成する目的及び作用効果について、以下に例を挙げ並びに図面を組み合わせて詳細に説明する。
【００１３】
図１は、本考案一実施形態の光固化装置の立体分解図である。図１に示す通り、本考案の光固化装置は、底台１０、ベースフレーム２０、複数の紫外線発光ダイオードモジュール３０、上蓋４０及びコントロールモジュール５０を有する。
【００１４】
本考案の実施形態において、底台１０上には、第一指部定位構造１１及び第二指部定位構造１２を設置する。
図１に示す通り、第一指部定位構造１１は、弧状の突出部で、手或いは足の、親指以外の４本の指を置くことができる。第二指部定位構造１２は、楕円形の凹部で、使用者はその手部或いは足部の親指を置くことができる。
本考案実施形態中の第一指部定位構造１１は、凸部に設置され、しかも第二指部定位構造１２は、凹部に設置されるが、第一指部定位構造１１、第二指部定位構造１２の形式には制限はなく、使用者が肉眼を用いなくとも、指で簡単に感じることができる定位構造であれば良い。
【００１５】
ベースフレーム２０は、底台１０上に固定され、しかもベースフレーム２０は、相互に挟角を備える複数の壁面２１、及びその片側に位置する開口２２を有する。
各壁面２１は、光反射特性を備え、しかも開口２２と各壁面２１との間には、チャンバー２３を形成する。
紫外線発光ダイオードモジュール３０は、ベースフレーム２０の各壁面２１上に設置される。各紫外線発光ダイオードモジュール３０はすべて、散熱器３１を有する。
この他、図２に示す通り、各紫外線発光ダイオードモジュール３０の紫外線発光ダイオードランプ３２は、ベースフレーム２０の壁面２１を通して設置される。これにより、起動時には、チャンバー２３内部へ、紫外線を照射する。
【００１６】
ベースフレーム２０が、底台１０上に固定されると、第一指部定位構造１１と第二指部定位構造１２とは、チャンバー２３中に位置する。これにより、各紫外線発光ダイオードモジュール３０の紫外線発光ダイオードランプ３２が発する紫外線は、第一指部定位構造１１と第二指部定位構造１２の位置にちょうど照射される。
【００１７】
さらに図１に示す通り、本考案の実施形態において、上蓋４０は、半球形を呈する。
上蓋４０の片側には、上蓋開口４１を有し、しかも上蓋開口４１と相対する片側には、電源コンセント４２を設置する（図４参照）。
組み立て時には、上蓋４０は、取り外し可能なように、底台１０上に固定され、ベースフレーム２０を覆って蓋をする。しかも、上蓋開口４１により、使用者の手部或いは足部は、チャンバー２３へと通される。
コントロールモジュール５０は、上蓋４０の頂部に設置され、しかもコントロールモジュール５０は、起動ボタン５１、時間設定ボタン５２及びディスプレイ５３を有する。
本考案の実施形態中では、コントロールモジュール５０は、上蓋４０中にはめ入れられる円形のモジュールで、しかもモジュールの周辺には、ＬＥＤ光リング５４を環状に設置する。
【００１８】
図３と図４はそれぞれ、二つの角度から見た本考案一実施形態の光固化装置の組み立て完成後の立体図である。
図３と図４に示す通り、組み立てを完成した光固化装置の使用時には、先ず上蓋４０後側の電源コンセント４２と外部の電源とを連接する。これにより、光固化装置は電力を得ることができる。
続いて、使用者は、固化させたい手指の爪或いは足指の爪を、上蓋開口４１からチャンバー２３中に入れる。しかも、入れる手（足）爪の部位に基づき、手（足）爪を第一指部定位構造１１或いは第二指部定位構造１２の位置に置く。
【００１９】
手指爪或いは足指爪を定位した後、使用者はディスプレイ５３を用いて時間設定ボタン５２により、必要と考えられる照射時間（秒数）を設定する。しかも、設定完成の後には、起動ボタン５１を通して紫外線発光ダイオードモジュール３０を起動する。これにより、紫外線発光ダイオードランプ３２が発する紫外線を照射し、手（足）爪を固化する。
この他、紫外線発光ダイオードモジュール３０が作動している間は、コントロールモジュール５０周辺のＬＥＤ光リング５４は、点灯或いは点滅し、これにより使用者に装置が作動中であることを知らせる。
【００２０】
本考案が提供する光固化装置は、指部定位構造の設置により、使用者が手指爪或いは足指爪を、装置中に入れる際に、紫外線が照射される位置からずれることがなくなり、これにより手（足）爪の固化効率を高めることができる。
この他、コントロールモジュールには時間を計る機能を設置するため、使用者は別にタイマーなどを使用しなくとも、爪への光照射の固化時間を簡単に設定でき、光固化装置の使用の利便性をさらに高められる。
【００２１】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２２】
１０  底台
１１  第一指部定位構造
１２  第二指部定位構造
２０  ベースフレーム
２１  壁面
２２  開口
２３  チャンバー
３０  紫外線発光ダイオードモジュール
３１  散熱器
３２  紫外線発光ダイオードランプ
４０  上蓋
４１  上蓋開口
４２  電源コンセント
５０  コントロールモジュール
５１  起動ボタン
５２  時間設定ボタン
５３  ディスプレイ
５４  ＬＥＤ光リング
【図１】
0003206112.tif 000003
【図２】
0003206112.tif 000004
【図３】
0003206112.tif 000005
【図４】
0003206112.tif 000006